(57)【要約】【課題】携帯電話機に接続したコネクタが不用意に抜けることを防止しながらも、左右のリリースボタンを同時に押すという操作を必要とせずにワンタッチ脱着式でコネクタをリリースすることができるようにする。【解決手段】フック部７１および８１はリリース方向にも傾斜が設けられているため、ユーザが周辺装置側外部インターフェイスコネクタ３をリリース方向に引っ張ると、鍵穴２１および２２の角を滑るようにして矢印１０６および１０７の方向へずり落ちていき、この作用によりフック部７１および８１は、周辺装置側外部インターフェイスコネクタ３のリリース動作に連動して鍵穴２１および２２から抜け出ていくこととなる。【選択図】        図５
2004356029.tif 000002
【特許請求の範囲】
【請求項１】
携帯電話機側コネクタを備えた携帯電話機に対して、該携帯電話機側コネクタに対応する周辺装置側コネクタを備えて当該周辺装置側コネクタを介して接続される携帯電話機用周辺装置であって、
前記周辺装置側コネクタは、前記携帯電話機側コネクタの最奥部まで挿入された状態で当該携帯電話機側コネクタ内壁に凹設された凹部にはめ込まれて当該周辺装置側コネクタの挿抜方向への抜けを防止するフック部を備え、
前記フック部は、前記周辺装置側コネクタが前記携帯電話機側コネクタに挿入されて最深部までは挿入されていない状態で前記携帯電話機側コネクタ内壁から離れる方向に付勢され、最深部まで挿入された状態で該付勢により当該フック部が前記凹部にはめ込まれるよう前記周辺装置側コネクタに設けられた弾性変形可能な支持体に配設され、
前記フック部における前記凹部にはめ込まれる部分が、前記周辺装置側コネクタによる前記携帯電話機側コネクタへの挿抜に連動して前記凹部に出没可能に形成されたことを特徴とする携帯電話機用周辺装置。
【請求項２】
前記フック部は、前記周辺装置側コネクタにおける挿入方向側が、当該周辺装置側コネクタの挿抜方向に垂直な方向よりも抜脱方向に傾斜するよう形成されると共に、該周辺装置側コネクタにおける抜脱方向側が、当該周辺装置側コネクタの挿抜方向に垂直な方向よりも挿入方向に傾斜するよう形成されたことを特徴とする請求項１記載の携帯電話機用周辺装置。
【請求項３】
前記フック部は、前記凹部にはめ込まれる部分の突端部が丸く形成されたことを特徴とする請求項２記載の携帯電話機用周辺装置。
【請求項４】
前記フック部および前記支持体は、弾性変形可能な１枚の板からなり、
該フック部は、該１枚の板における当該フック部の部分が前記支持体の部分に対して略９０度となるよう折り曲げられて形成されたことを特徴とする請求項１から３の何れか１項に記載の携帯電話機用周辺装置。
【請求項５】
前記１枚の板における前記支持体の部分は、長手方向に溝が形成されたことを特徴とする請求項４記載の携帯電話機用周辺装置。
【請求項６】
携帯電話機と、該携帯電話機にコネクタを介して接続される携帯電話機用周辺装置とを備えた携帯電話システムであって、
前記携帯電話機は携帯電話機側コネクタを備え、前記携帯電話機用周辺装置は該携帯電話機側コネクタに対応する周辺装置側コネクタを備え、
前記周辺装置側コネクタは、前記携帯電話機側コネクタの最奥部まで挿入された状態で当該携帯電話機側コネクタ内壁に凹設された凹部にはめ込まれて当該周辺装置側コネクタの挿抜方向への抜けを防止するフック部を備え、
前記フック部は、前記周辺装置側コネクタが前記携帯電話機側コネクタに挿入されて最深部までは挿入されていない状態で前記携帯電話機側コネクタ内壁から離れる方向に付勢され、最深部まで挿入された状態で該付勢により当該フック部が前記凹部にはめ込まれるよう前記周辺装置側コネクタに設けられた弾性変形可能な支持体に配設され、
前記フック部における前記凹部にはめ込まれる部分が、前記周辺装置側コネクタによる前記携帯電話機側コネクタへの挿抜に連動して前記凹部に出没可能に形成されたことを特徴とする携帯電話システム。
【請求項７】
前記フック部は、前記周辺装置側コネクタにおける挿入方向側が、当該周辺装置側コネクタの挿抜方向に垂直な方向よりも抜脱方向に傾斜するよう形成されると共に、該周辺装置側コネクタにおける抜脱方向側が、当該周辺装置側コネクタの挿抜方向に垂直な方向よりも挿入方向に傾斜するよう形成されたことを特徴とする請求項６記載の携帯電話システム。
【請求項８】
前記フック部は、前記凹部にはめ込まれる部分の突端部が丸く形成されたことを特徴とする請求項７記載の携帯電話システム。
【請求項９】
前記フック部および前記支持体は、弾性変形可能な１枚の板からなり、
該フック部は、該１枚の板における当該フック部の部分が前記支持体の部分に対して略９０度となるよう折り曲げられて形成されたことを特徴とする請求項６から８の何れか１項に記載の携帯電話システム。
【請求項１０】
前記１枚の板における前記支持体の部分は、長手方向に溝が形成されたことを特徴とする請求項９記載の携帯電話システム。
【発明の詳細な説明】
【０００１】
【発明の属する技術分野】
本発明は、携帯電話機用周辺装置および携帯電話システムに関し、特に、携帯電話機が備える外部インターフェイス用コネクタに接続される携帯電話機用周辺装置および、その携帯電話機と携帯電話機用周辺装置とが接続されてなる携帯電話システムに関する。
【０００２】
【従来の技術】
近年、携帯電話機が備える機能の発展は著しく、多様な用途で活用されている。
図７に、携帯電話機１に従来の外部周辺装置５５を接続して使用する場合の例を示す。この図７に示すように、携帯電話機１とパソコン等の外部周辺装置５５とを接続して携帯電話機１本体に記憶されている各種データを外部周辺装置５５に転送したり、もしくは外部周辺装置５５から携帯電話機１内の記憶装置へデータを転送するなど、携帯電話機１と外部周辺装置５５とを接続して使用することが頻繁に行われるようになってきている。
【０００３】
こうした場合の接続を行うために、携帯電話機１は末端下部（送話部側端部）に、電源供給を行う電気接続機能および／または携帯電話機とのシリアルデータ通信を行う信号線の電気接続機能を有する携帯電話機側外部インターフェイスコネクタ２を具備している。
この携帯電話機側外部インターフェイスコネクタ２に、外部周辺装置５５からケーブル５４を介して周辺装置側外部インターフェイスコネクタ５３を挿入することにより、携帯電話機１と外部周辺装置５５とが接続されて使用可能となる。
【０００４】
ここで、携帯電話機側外部インターフェイスコネクタ２は周辺装置側外部インターフェイスコネクタ５３に対してオス側となり周辺装置側外部インターフェイスコネクタ５３はメス側となっている。
【０００５】
図８に、周辺装置側外部インターフェイスコネクタ５３の外観を示す。
この図８に示すように、周辺装置側外部インターフェイスコネクタ５３は、コネクタメス側勘合口６と、コネクタメス側勘合口６を頭にして左側にあるフック部５７１と、そのフック部５７１を支える支持体５７と、右側にあるフック部５８と、そのフック部５８１を支える支持体５８と、左側にあるリリースボタン５９と、右側にあるリリースボタン６０と、コネクタ本体ボディー下側６１と、コネクタ本体ボディー上側６２とを備えて構成される。
この周辺装置側外部インターフェイスコネクタ５３が携帯電話機側外部インターフェイスコネクタ２へ挿入されることにより、携帯電話機１と外部周辺装置５５とが電気的に接続されることとなる。
【０００６】
コネクタの抜け防止策として、図９に示すように、周辺装置側外部インターフェイスコネクタ５３の左側にあるフック部５７１を携帯電話機側外部インターフェイスコネクタ２の左の内壁に凹設された鍵穴２１へ、そして、周辺装置側外部インターフェイスコネクタ５３の右側にあるフック部５８１を携帯電話機側外部インターフェイスコネクタ２の右の内壁に凹設された鍵穴２２へ、それぞれ引っ掛けるようにはめ込むことで、周辺装置側外部インターフェイスコネクタ５３が抜けないようにする構造となっている。
【０００７】
このフック部５７１および支持体５７は、１枚の金属板からフック部５７１になる部分に切り込みを入れ、図１０に例示する形に形成し、そのフック部５７１になる部分を支持体５７になる部分に対して９０度折り曲げることで形成される。すなわち、図１０における点線部分で９０度折り曲げられることで形成されている。
この図１０に示す形はフック部５８１および支持体５８も同様であり、点線部分で９０度折り曲げる方向がフック部５７１および支持体５７と逆になる。
【０００８】
次に、携帯電話機側外部インターフェイスコネクタ２に挿入された周辺装置側外部インターフェイスコネクタ５３を抜脱する（以降、リリースと称する）場合の動作について、図１１、図１２を参照して説明する。
図１１は、周辺装置側外部インターフェイスコネクタ５３の内部構造を概略的に示している。
【０００９】
フック部５７１および支持体５７、フック部５８１および支持体５８は、それぞれ上述のとおり１枚の金属板により構成され、弾性を有して板バネの役目を担っていて、この板バネの弾性変形作用により、携帯電話機側外部インターフェイスコネクタ２の内側にテンションが架かる構造となっている。
【００１０】
支持体５７および５８の周辺装置側外部インターフェイスコネクタ５３への装着方法として、コネクタ内部で支持体５７はネジ穴用支柱１５とコネクタ本体ボディー下側部分６１に、支持体５８はネジ穴用支柱１６とコネクタ本体ボディー下側部分６１との間に挟まれた状態で固定されている。
また、支持体５７にはリリースボタン５９が外側に配設されており、支持体５８にはリリースボタン６０が外側に配設されていて、支持体５７および５８は弾性を有した金属板であるため、ユーザがリリースボタン５９および６０を左右同時（矢印１０２および１０３の方向）に押すことにより支持体５７および５８の上部にあるクサビ状のフック部５７１および５８１がコネクタの内側（矢印１０４および１０５の方向）に動く。こうした構成により、図１２に示すとおり、鍵穴２１から支持体５７上部のクサビ状のフック部５７１が、そして、鍵穴２２から支持体５８上部のクサビ状のフック部５８１が共に外れ、図１２に示す矢印１０１のリリース方向に周辺装置側外部インターフェイスコネクタ５３をリリースすることが可能となる。
【００１１】
【発明が解決しようとする課題】
しかしながら、上述した従来の外部周辺装置５５が備える周辺装置側外部インターフェイスコネクタ５３では、ユーザが携帯電話機側外部インターフェイスコネクタ２よりリリースする場合、リリースボタン５９および６０を左右同時に押すという操作をユーザが行わなければならない。この操作を知らないユーザは、リリースするときに挿入されている携帯電話機側外部インターフェイスコネクタ２から周辺装置側外部インターフェイスコネクタ５３を無理やり引き抜こうとする行動を起こしてしまう。
こうしたユーザの行動により、ケーブル５４などに大きな引っ張り荷重が加えられ、断線してしまうという事故が発生してしまっていた。
【００１２】
本発明はこのような状況に鑑みてなされたものであり、携帯電話機に接続したコネクタが不用意に抜けることを防止しながらも、左右のリリースボタンを同時に押すという操作を必要とせずにワンタッチ脱着式でコネクタをリリースすることができる携帯電話機用周辺装置および携帯電話システムを提供することである。
【００１３】
【課題を解決するための手段】
かかる目的を達成するために、本発明は以下の特徴を有する。
請求項１記載の発明は、携帯電話機側コネクタを備えた携帯電話機に対して、該携帯電話機側コネクタに対応する周辺装置側コネクタを備えて当該周辺装置側コネクタを介して接続される携帯電話機用周辺装置であって、周辺装置側コネクタは、携帯電話機側コネクタの最奥部まで挿入された状態で当該携帯電話機側コネクタ内壁に凹設された凹部にはめ込まれて当該周辺装置側コネクタの挿抜方向への抜けを防止するフック部を備え、上記フック部は、周辺装置側コネクタが携帯電話機側コネクタに挿入されて最深部までは挿入されていない状態で携帯電話機側コネクタ内壁から離れる方向に付勢され、最深部まで挿入された状態で該付勢により当該フック部が凹部にはめ込まれるよう周辺装置側コネクタに設けられた弾性変形可能な支持体に配設され、上記したフック部における凹部にはめ込まれる部分が、周辺装置側コネクタによる携帯電話機側コネクタへの挿抜に連動して凹部に出没可能に形成されたことを特徴とする。
【００１４】
請求項２記載の発明は、上記したフック部が、周辺装置側コネクタにおける挿入方向側が、当該周辺装置側コネクタの挿抜方向に垂直な方向よりも抜脱方向に傾斜するよう形成されると共に、該周辺装置側コネクタにおける抜脱方向側が、当該周辺装置側コネクタの挿抜方向に垂直な方向よりも挿入方向に傾斜するよう形成されたことを特徴とする。
【００１５】
請求項３記載の発明は、上記したフック部が、凹部にはめ込まれる部分の突端部が丸く形成されたことを特徴とする。
【００１６】
請求項４記載の発明は、上記したフック部および支持体が、弾性変形可能な１枚の板からなり、該フック部は、該１枚の板における当該フック部の部分が支持体の部分に対して略９０度となるよう折り曲げられて形成されたことを特徴とする。
【００１７】
請求項５記載の発明は、上記した１枚の板における支持体の部分が、長手方向に溝が形成されたことを特徴とする。
【００１８】
請求項６記載の発明は、携帯電話機と、該携帯電話機にコネクタを介して接続される携帯電話機用周辺装置とを備えた携帯電話システムであって、携帯電話機は携帯電話機側コネクタを備え、携帯電話機用周辺装置は該携帯電話機側コネクタに対応する周辺装置側コネクタを備え、周辺装置側コネクタは、携帯電話機側コネクタの最奥部まで挿入された状態で当該携帯電話機側コネクタ内壁に凹設された凹部にはめ込まれて当該周辺装置側コネクタの挿抜方向への抜けを防止するフック部を備え、上記フック部は、周辺装置側コネクタが携帯電話機側コネクタに挿入されて最深部までは挿入されていない状態で携帯電話機側コネクタ内壁から離れる方向に付勢され、最深部まで挿入された状態で該付勢により当該フック部が凹部にはめ込まれるよう周辺装置側コネクタに設けられた弾性変形可能な支持体に配設され、上記したフック部における凹部にはめ込まれる部分が、周辺装置側コネクタによる携帯電話機側コネクタへの挿抜に連動して凹部に出没可能に形成されたことを特徴とする。
【００１９】
請求項７記載の発明は、上記したフック部が、周辺装置側コネクタにおける挿入方向側が、当該周辺装置側コネクタの挿抜方向に垂直な方向よりも抜脱方向に傾斜するよう形成されると共に、該周辺装置側コネクタにおける抜脱方向側が、当該周辺装置側コネクタの挿抜方向に垂直な方向よりも挿入方向に傾斜するよう形成されたことを特徴とする。
【００２０】
請求項８記載の発明は、上記したフック部が、凹部にはめ込まれる部分の突端部が丸く形成されたことを特徴とする。
【００２１】
請求項９記載の発明は、上記したフック部および支持体が、弾性変形可能な１枚の板からなり、該フック部は、該１枚の板における当該フック部の部分が支持体の部分に対して略９０度となるよう折り曲げられて形成されたことを特徴とする。
【００２２】
請求項１０記載の発明は、上記した１枚の板における支持体の部分が、長手方向に溝が形成されたことを特徴とする。
【００２３】
【発明の実施の形態】
次に、本発明に係る携帯電話機用周辺装置および携帯電話システムを図面を用いて詳細に説明する。
本実施形態としての携帯電話システムは、本発明に係る携帯電話機用周辺装置の実施形態としての外部周辺装置について、上述した従来の外部周辺装置におけるフック部の形状に改良を加えることにより、コネクタをリリースする操作を知らないユーザであってもケーブルを破損することなくリリースできる好適なものを例示している。
【００２４】
本実施形態としての携帯電話システムは、図１に示すように、携帯電話機１と、パソコンなどの外部周辺装置５とがコネクタを介して接続されてなる。
この携帯電話機１は携帯電話機側外部インターフェイスコネクタ２を備え、外部周辺装置５は、ケーブル４の先端に周辺装置側外部インターフェイスコネクタ３を備える。この周辺装置側外部インターフェイスコネクタ３は、携帯電話機側外部インターフェイスコネクタ２に対応するものであり、この携帯電話機側外部インターフェイスコネクタ２に周辺装置側外部インターフェイスコネクタ３が挿入されることにより、携帯電話機１と外部周辺装置５とが電気的に接続される。
【００２５】
周辺装置側外部インターフェイスコネクタ３は、図２に示すように、コネクタメス側勘合口６と、コネクタメス側勘合口６を頭にして左側にあるフック部７１と、そのフック部７１を支える支持体７と、右側にあるフック部８１と、そのフック部８１を支える支持体８と、コネクタ本体ボディー下側１１と、コネクタ本体ボディー上側１２とを備えて構成される。
この図２に示すように、周辺装置側外部インターフェイスコネクタ３のコネクタメス側勘合口６はメス型の勘合口であり、この周辺装置側外部インターフェイスコネクタ３が対応する携帯電話機側外部インターフェイスコネクタ２はオス型となっている。
【００２６】
携帯電話機１は、電源供給を行う電気接続機能および／または当該携帯電話機とのシリアルデータ通信を行う信号線の電気接続機能を有する携帯電話機側外部インターフェイスコネクタ２を装置本体の送話部側端部底面に具備する。
この携帯電話機側外部インターフェイスコネクタ２に、外部周辺装置５の周辺装置側外部インターフェイスコネクタ３が接続されることで、携帯電話機１と外部周辺装置５との間でシリアルデータ通信などが可能となる。
【００２７】
フック部７１および支持体７について、図３を用いて説明する。
このフック部７１および支持体７は、１枚の金属板を図３に例示する形に形成し、そのフック部７１になる部分を支持体７になる部分に対して９０度折り曲げると共に、支持体７の長手方向に溝７２が形成されるように溝７２になる部分がプレス加工されることで形成される。上記の９０度折り曲げる部分は、図３における点線部分である。
また、フック部７１になる部分は、支持体７の長手方向に対して両側に傾斜を付けるように形成されている。
【００２８】
この図３に示す形はフック部８１および支持体８も同様であり、点線部分で９０度折り曲げる方向および溝をプレス加工で凹ませる方向が、フック部７１および支持体７と逆になる。
また、フック部７１および支持体７、フック部８１および支持体８の両方について、溝７２、８２をプレス加工によって形成する方向は、フック部になる部分が図３の点線部分で９０度折り曲げられる方向に溝７２または８２が形成される際のプレス加工による凸部が出る方向となる。
【００２９】
このように、上述したフック部７１、８１は、従来のフック部５７１、５８１では挿入方向のみに傾斜が付けられたクサビ状であったのに対し、図４に示すようにリリース方向（矢印１０１の方向）の部分についても傾斜をつけるようにしたものである。
このように形成されることで、周辺装置側外部インターフェイスコネクタ３が携帯電話機側外部インターフェイスコネクタ２に最深部まで挿入される際、図４に示すように、周辺装置側外部インターフェイスコネクタ３の左側にあるフック部７１が携帯電話機側外部インターフェイスコネクタ２の左の内壁に凹設された鍵穴（凹部）２１へ、そして、周辺装置側外部インターフェイスコネクタ３の右側にあるフック部８１が携帯電話機側外部インターフェイスコネクタ２の右の内壁に凹設された鍵穴（凹部）２２へ、それぞれはめ込まれ、周辺装置側外部インターフェイスコネクタ３がリリース方向に不用意に抜けないようにする構造となっている。
すなわち、フック部７１、８１は、周辺装置側外部インターフェイスコネクタ３の挿抜に連動して鍵穴２１、２２に出没可能であるように形成されている。
【００３０】
次に、携帯電話機側外部インターフェイスコネクタ２に挿入された周辺装置側外部インターフェイスコネクタ３をリリースする場合の動作について、図５、図６を参照して説明する。
図６は、周辺装置側外部インターフェイスコネクタ３の内部構造を概略的に示している。
【００３１】
フック部７１および支持体７、フック部８１および支持体８は、それぞれ上述のとおり１枚の金属板により構成され、弾性を有して板バネの役目を担っていて、この板バネの弾性変形作用により、携帯電話機側外部インターフェイスコネクタ２の内側にテンションが架かる構造となっている。
すなわち、周辺装置側外部インターフェイスコネクタ３が携帯電話機側外部インターフェイスコネクタ２に挿入される際、最深部までは挿入されていない状態では、図５に示す状態であり、フック部７１、８１の支持体７、８が携帯電話機側外部インターフェイスコネクタ２の内壁から離れる方向に付勢される。このことにより、周辺装置側外部インターフェイスコネクタ３が最深部まで挿入された状態では、支持体７、８に加えられた付勢によりフック部７１、８１が上述のように鍵穴２１、２２にはめ込まれ、リリース方向への不用意な抜けを防止する機能を実現している。
【００３２】
支持体７および８の周辺装置側外部インターフェイスコネクタ３への装着方法として、図６に示すように、コネクタ内部で支持体７はネジ穴用支柱１５とコネクタ本体ボディー下側部分１１に、支持体８はネジ穴用支柱１６とコネクタ本体ボディー下側部分１１との間に挟まれた状態で固定されている。
また、支持体７および８は弾性を有した金属板であるため、ユーザが携帯電話機側外部インターフェイスコネクタ２に挿入された周辺装置側外部インターフェイスコネクタ３をリリース方向に引き抜こうとした場合、図５に示すように、フック部７１、８１が鍵穴２１、２２の角を滑るようにして矢印１０６および１０７の方向へずり落ちていき、鍵穴２１からフック部７１が、そして鍵穴２２からフック部８１が共に外れ、図５に示す矢印１０１のリリース方向に周辺装置側外部インターフェイスコネクタ３をリリースすることが可能となる。
【００３３】
すなわち、リリース時にリリースボタンを押す必要がなく、ユーザが周辺装置側外部インターフェイスコネクタ３をリリース方向に引っ張ると、図５に示すとおり、フック部７１および８１はリリース方向にも傾斜が設けられているため、鍵穴２１および２２の角を滑るようにして矢印１０６および１０７の方向へずり落ちていき、この作用によりフック部７１および８１は、周辺装置側外部インターフェイスコネクタ３のリリース動作に連動して鍵穴２１および２２から抜け出ていくこととなる。
【００３４】
なお、以上にフック部７１および８１の形状とそれによる動作について図面を参照して説明したが、フック部７１および８１は、周辺装置側外部インターフェイスコネクタ３における挿入方向側が、当該コネクタ３の挿抜方向に垂直な方向よりもリリース方向に傾斜するよう形成されると共に、周辺装置側外部インターフェイスコネクタ３におけるリリース方向側が、当該コネクタ３の挿抜方向に垂直な方向よりも挿入方向に傾斜するよう形成されていれば、傾斜の角度は図示したものに限定されるものではない。
【００３５】
例えば、リリース方向側における傾斜角度については、傾斜面のリリース方向に対する角度が小さい角度になるほどリリースする方向に対して小さい引張力でコネクタをリリースすることができるようになるが、コネクタが抜けやすくなるという不具合の発生の可能性も高まることとなる。
逆にリリース方向側における傾斜面のリリース方向に対する角度が９０度に近い角度になるほどコネクタが抜けやすくなるという不具合の発生率は低下するが、リリースする方向に対する引張力が大きくなり、ユーザにとっては使い難いものとなる。
すなわち、リリース方向側における傾斜角度は、製品の対象ユーザや用途、強度などに応じて、上述した要素を考慮した任意の角度であってよい。
【００３６】
また、上述した図４から図６ではフック部の形状を台形として示しているが、図３に示すように台形の角（突端部）にカーブをつけて丸く形成することで、携帯電話機側外部インターフェイスコネクタ２への挿入時およびリリース時に滑らかな動作とすることができる。
【００３７】
以上のように、本実施形態としての携帯電話システムによれば、携帯電話機側外部インターフェイスコネクタ２へ周辺装置側外部インターフェイスコネクタ３を挿入時およびリリース時において、ワンタッチで脱着可能となり、従来のようなリリースボタンを押さなければリリースできないコネクタの扱いに慣れていないユーザに対してもケーブルが切断する等の事故をなくすことができる。
【００３８】
また、例えば、携帯電話機に検査冶具などの周辺装置を接続する場合においても、リリースボタンを押さなくてよい分、作業効率を上げることができ、検査工数のコスト低減にもつなげることができる。
【００３９】
また、左右のリリースボタンが不要になったため、従来の周辺装置側外部インターフェイスコネクタ３に比較して非常にシンプルな構造となり、周辺装置側外部インターフェイスコネクタ３の製造においては、部品点数とアッセンブリー工程を減少させることができ、コストダウンを図ることができる。
【００４０】
また、支持体の長手方向に溝がプレス加工で形成されることにより、挿入時における携帯電話機側外部インターフェイスコネクタ２から離れる方向への付勢に対する支持体の強度を上げることができる。
【００４１】
なお、上述した実施形態は、本発明の好適な実施形態であり、本発明の主旨を逸脱しない範囲内において、種々変形して実施することが可能である。
例えば、外部周辺装置５は、パソコンなどとして説明しているが、携帯電話機１の携帯電話機側外部インターフェイスコネクタ２に周辺装置側外部インターフェイスコネクタ３を介して接続されて使用可能な装置であれば任意の装置であってよく、例えば、カメラつき携帯電話機で撮影された画像をシールプリントするような遊戯機器、電源、記憶装置、外部アンテナなどであってもよい。
【００４２】
また、上述した実施形態では、フック部および支持体が１枚の金属板からなるものについて説明したが、フック部について、周辺装置側外部インターフェイスコネクタ３における挿入方向側が、当該コネクタ３の挿抜方向に垂直な方向よりもリリース方向に傾斜するよう形成されると共に、周辺装置側外部インターフェイスコネクタ３におけるリリース方向側が、当該コネクタ３の挿抜方向に垂直な方向よりも挿入方向に傾斜するよう形成されていればこのものに限定されず、上述のように形成されたフック部が弾性変形可能な支持体に突設されたものであってもよい。
また、上述のように形成されたフック部が溶接などにより弾性変形可能な支持体に貼着されて突設されたものであってもよい。
【００４３】
また、上述した実施形態における携帯電話機は、ＰＨＳ、プリペイド式携帯電話などであってもよい。
【００４４】
【発明の効果】
以上のように、本発明によれば、携帯電話機に接続された周辺装置側コネクタが挿抜方向に不用意に抜けることを防止しながらも、ユーザが周辺装置側コネクタを引き抜くだけでフック部における凹部にはめ込まれた部分が抜け出ていき、周辺装置側コネクタを抜脱することができる。
このため、左右のリリースボタンを同時に押すという操作を必要とせずに、断線といった事故を起こすことなく、ワンタッチ脱着式でコネクタをリリースすることができる。
【図面の簡単な説明】
【図１】本実施形態としての携帯電話システムの構成の概要を示す図である。
【図２】該携帯電話システムにおける周辺装置側外部インターフェイスコネクタ３の外観を示す斜視図およびフック部廻りの部分拡大図である。
【図３】支持体７およびフック部７１を構成する１枚の金属板を示す展開図である。
【図４】フック部７１、８１が鍵穴２１、２２にはめ込まれた状態を模式的に示す断面図である。
【図５】フック部７１、８１が鍵穴２１、２２から抜け出ていく状態を模式的に示す断面図である。
【図６】周辺装置側外部インターフェイスコネクタ３の内部構造を模式的に示す図である。
【図７】従来の携帯電話システムの構成の概要を示す図である。
【図８】従来の周辺装置側外部インターフェイスコネクタ５３の外観を示す斜視図およびフック部廻りの部分拡大図である。
【図９】従来のフック部５７１、５８１が鍵穴２１、２２にはめ込まれた状態を模式的に示す断面図である。
【図１０】従来の支持体５７およびフック部５７１を構成する１枚の金属板を示す展開図である。
【図１１】従来の周辺装置側外部インターフェイスコネクタ５３の内部構造を模式的に示す図である。
【図１２】従来のフック部５７１、５８１を鍵穴２１、２２から外す状態を模式的に示す断面図である。
【符号の説明】
１  携帯電話機
２  携帯電話機側外部インターフェイスコネクタ（携帯電話機側コネクタ）
３  周辺装置側外部インターフェイスコネクタ（周辺装置側コネクタ）
４  ケーブル
５  外部周辺装置（携帯電話機用周辺装置）
６  コネクタメス側勘合口
７、８  支持体
７１、８１  フック部
７２、８２  溝
１１  コネクタ本体ボディー下側
１２  コネクタ本体ボディー上側
１５、１６  ネジ穴用支柱
２１、２２  鍵穴（凹部）
１０１  リリース方向矢印（脱抜方向矢印）
１０６  本発明の左側フック部作動方向矢印
１０７  本発明の右側フック部作動方向矢印
５７、５８  従来の支持体
５７１、５８１  従来のフック部
５９、６０  リリースボタン
１０２  左側リリースボタン押下方向矢印
１０３  右側リリースボタン押下方向矢印
１０４  リリースボタン押下時の左側フック部作動方向矢印
１０５  リリースボタン押下時の右側フック部作動方向矢印
【図１】
2004356029.tif 000003
【図２】
2004356029.tif 000004
【図３】
2004356029.tif 000005
【図４】
2004356029.tif 000006
【図５】
2004356029.tif 000007
【図６】
2004356029.tif 000008
【図７】
2004356029.tif 000009
【図８】
2004356029.tif 000010
【図９】
2004356029.tif 000011
【図１０】
2004356029.tif 000012
【図１１】
2004356029.tif 000013
【図１２】
2004356029.tif 000014